(57)【要約】【課題】  高温の湯の流入による浄水器の破損や性能低下を防止しながら、温調され、かつ所定の浄水器を通った浄水を確実に使用できる浄水器付湯水混合栓を提供する。【解決手段】  湯水混合弁で湯水を混合した混合水を原水のまま吐水する原水モードまたは浄水器を介して吐水する浄水モードに切替える切替弁とを備えた浄水器付湯水混合栓において、前記浄水器に流入する混合水が所定温度以下になるように調整する温調弁を設け、浄水モード時のみ前記温調弁が機能するように構成したことを特徴とする浄水器付湯水混合栓。 【選択図】  図１
2005061007.tif 000002
【特許請求の範囲】
【請求項１】
湯水混合弁で湯水を混合した混合水を原水のまま吐水する原水モードまたは浄水器を介して吐水する浄水モードに切替える切替弁を備えた浄水器付湯水混合栓において、
前記浄水器に流入する混合水が所定温度以下になるように調整する温調弁を設け、浄水モード時のみ前記温調弁が機能するように構成したことを特徴とする浄水器付湯水混合栓。 
【請求項２】
前記湯水混合弁に水を供給する給水路と湯を供給する給湯路とをバイパスする分水路を設け、
前記温調弁を前記分水路と前記給湯路の接続部に配置し、
前記切替弁は前記分水路を開閉する機構を併設し、
浄水モードに切替えた場合のみ前記分水路を開成する構成としたことを特徴とする請求項１記載の浄水器付湯水混合栓。
【請求項３】
前記湯水混合弁に水を供給する給水路と前記湯水混合弁で混合した混合水を排出する混合水路とをバイパスする分水路を設け、
前記温調弁を前記分水路と前記混合水路の接続部に配置し、
前記切替弁は前記分水路を開閉する機構を併設し、
浄水モードに切替えた場合のみ前記分水路を開成する構成としたことを特徴とする請求項１記載の浄水器付湯水混合栓。
【請求項４】
前記湯水混合弁に水を供給する給水路と前記浄水器に混合水を流入する浄水路とをバイパスする分水路を設け、
前記温調弁を前記分水路と前記浄水路の接続部に配置し、
前記切替弁は前記分水路を開閉する機構を併設し、
浄水モードに切替えた場合のみ前記分水路を開成する構成としたことを特徴とする請求項１記載の浄水器付湯水混合栓。
【請求項５】
湯水混合弁で湯水を混合した混合水を原水のまま吐水する原水モードまたは浄水器を介して吐水する浄水モードに切替える切替弁を備えた浄水器付湯水混合栓において、
前記切替弁から排出する混合水が所定温度以下になるように調整する温調弁を設けたことを特徴とする浄水器付湯水混合栓。 
【請求項６】
前記湯水混合弁に水を供給する給水路と湯を供給する給湯路とをバイパスする分水路を設け、
前記温調弁を前記分水路と前記給湯路の接続部に配置した構成としたことを特徴とする請求項５記載の浄水器付湯水混合栓。
【請求項７】
前記湯水混合弁に水を供給する給水路と前記湯水混合弁で混合した混合水を排出する混合水路とをバイパスする分水路を設け、
前記温調弁を前記分水路と前記混合水路の接続部に配置した構成としたことを特徴とする請求項５記載の浄水器付湯水混合栓。
【請求項８】
前記温調弁は、
湯を流入する湯入口、水を流入する水入口、前記湯入口からの湯と前記水入口からの水を混合する温調室、前記温調室で混合された温調水を排出する温調水出口とを本体に備え、
前記湯入口と前記温調室を常時連通させ前記温調室への湯の流入量を略一定にするとともに、
ワックス式の感温体で検知した温調水の温度に基づいて、前記水入口から前記温調室への水の流入量を制御する弁機構を前記本体内に備えたことを特徴とする請求項１ないし請求項７に記載の浄水器付湯水混合栓。
【請求項９】
前記弁機構は略直線的な形状を成して少なくとも弁体と前記感温体と前記感温体の検知温度に基づいて伸縮するピストンとで構成され、
前記本体の前記水入口と前記温調室の間に前記水入口側から水室と水出口を設け、
前記弁体を前記水室内に配置し、
前記感温体を格納する部分を前記温調室内に配置し、
前記ピストンを前記弁機構の前記温調室内の前記温調水出口側端部に配置し、
前記弁機構は前記感温体で検知した温調水の温度によって前記ピストンを伸縮させることにより前記弁体を移動させて前記弁体と前記水出口に設けた弁座との隙間を調節して前記温調室への水の流入量を制御するようにしたことを特徴とする請求項８に記載の浄水器付湯水混合栓。
【請求項１０】
前記ピストンの前記温調室出口側への飛び出し位置を規制するガイドを前記本体内に設け、さらに前記ガイドの位置を調整できるようにしたことを特徴とする請求項８または請求項９に記載の浄水器付湯水混合栓。
【請求項１１】
前記温調弁は、
湯を流入する湯入口、水を流入する水入口、前記湯入口からの湯と前記水入口からの水を混合する温調室、前記温調室で混合された温調水を排出する温調水出口とを本体に備え、
前記湯入口と前記温調室を常時連通させ前記温調室への湯の流入量を略一定にするとともに、
形状記憶バネ式の感温体で検知した温調水の温度に基づいて、前記水入口から前記温調室への水の流入量を制御する弁機構を前記本体内に備えたことを特徴とする請求項１ないし請求項７に記載の浄水器付湯水混合栓。
【請求項１２】
前記弁機構は略直線的な形状を成して少なくとも弁体と前記感温体で構成され、
前記本体の前記水入口と前記温調室の間に前記水入口側から水室と水出口を設け、
前記弁体を前記水室内に配置し、
前記弁機構に装着された前記感温体を前記温調室内に配置し、
前記弁機構は検知した温調水の温度によって前記感温体のバネ定数を変化させることにより前記弁体を移動させて前記弁体と前記水出口に設けた弁座との隙間を調節して前記温調室への水の流入量を制御するようにしたことを特徴とする請求項１１に記載の浄水器付湯水混合栓。
【請求項１３】
前記感温体の前記温調室出口側の位置を規制するガイドを前記本体内に設けるとともに、前記ガイドの位置を調整できるようにしたことを特徴とする請求項１１または請求項１２に記載の浄水器付湯水混合栓。
【発明の詳細な説明】
【技術分野】
【０００１】
本発明は、浄水器などを接続して原水と浄水両方を使用できる浄水器付湯水混合栓に関する。 
【背景技術】
【０００２】
従来より、浄水器などを接続して原水と浄水両方を使用できる浄水器付湯水混合栓として、湯水を混合した後の混合水を浄水器に通して吐水することにより、原水のみならず所望の温度の浄水が使用できるようにしたものが知られている。
【０００３】
このうち、特許文献１では、切替弁により湯水混合弁で湯水を混合した混合水をそのまま通水する原水路と混合水を浄水器を介して通水する浄水路のいずれかに切替えて原水／浄水を吐水する浄水器付湯水混合栓が開示されている。
【０００４】
また、特許文献２では、活性炭を収納する第一浄水器と中空糸膜を収納する第二浄水器を備え、湯水混合弁で湯水を混合した混合水を第一浄水器のみを通した浄水と第一、第二浄水器双方を通した浄水にさせることができる浄水器付湯水混合栓において、第一浄水器への入水路を分岐し第一浄水器からの出水路へ第一浄水器を通さずに接続したバイパス路を設け、分岐部には熱湯が流入すると流路をバイパス路へ切替える熱湯切替弁を設けて第一浄水器に熱湯が流入しないようにした浄水器付湯水混合栓が開示されている。
【０００５】
【特許文献１】実開平５−６９４６８号公報
【特許文献２】特開２０００−２２６８７０号公報
【発明の開示】
【発明が解決しようとする課題】
【０００６】
しかし、上記従来例では、特許文献１の場合、浄水を吐水する際、湯水混合弁で調整された混合水がそのまま浄水器へ流入する構成となっているため、例えば、湯水混合弁に流入する湯の熱源にタンクに貯湯した湯をそのまま給湯する電気温水器が使用されている場合、冬場に湯切れ防止のために沸き上げ設定温度を高温（例えば８５℃）にしている場合は、高温の湯が湯水混合弁に供給されるため、湯水混合弁が最も高温側で切替弁を浄水に切替えられると、湯水混合弁から排出された高温の湯が浄水器へ流入し、浄水器の破損や性能低下を招いてしまうといった問題がある。
【０００７】
また、特許文献２の場合、第一浄水器への高温の湯の流入は防止できるが、第一浄水器を通した浄水を使用しているときに勝手に第一浄水器を通らない水に切替わるため、使用者は吐水された混合水が第一浄水器を通ったのか否か判断できず、第一浄水器を通らない水が吐水されているにもかかわらずに第一浄水器を通った残留塩素や溶解性鉛などが除去された浄水のつもりで使用してしまうといった問題がある。
【０００８】
本発明は、上記課題を解決するためになされたもので、本発明の目的は、高温の湯の流入による浄水器の破損や性能低下を防止しながら、温調され、かつ所定の浄水器を通った浄水を確実に使用できる浄水器付湯水混合栓を提供することにある。
【課題を解決するための手段】
【０００９】
上記目的を達成するために、請求項１では、湯水混合弁で湯水を混合した混合水を原水のまま吐水する原水モードまたは浄水器を介して吐水する浄水モードに切替える切替弁を備えた浄水器付湯水混合栓において、
前記浄水器に流入する混合水が所定温度以下になるように調整する温調弁を設け、浄水モード時のみ前記温調弁が機能するように構成した。
【００１０】
上記発明によれば、浄水器に流入する混合水が所定温度以下になるように調整する温調弁を設け、浄水モード時のみ温調弁が機能するように構成したことにより、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時には水が混ざることがないため、高温の原水が使用でき食器の油落としなどには便利である。
【００１１】
請求項２では、請求項１に記載の浄水器付湯水混合栓において、前記湯水混合弁に水を供給する給水路と湯を供給する給湯路とをバイパスする分水路を設け、
前記温調弁を前記分水路と前記給湯路の接続部に配置し、
前記切替弁は前記分水路を開閉する機構を併設し、
浄水モードに切替えた場合のみ前記分水路を開成する構成とした。
【００１２】
上記発明によれば、給水路と給湯路とをバイパスする分水路を設け、温調弁を分水路と給湯路の接続部に配置し、切替弁は分水路を開閉する機構を併設し、浄水モードに切替えた場合のみ分水路を開成する構成としたことにより、温調弁は給湯路の上流から流入する湯と分水路から流入する水を所定の湯温に自動調節し給湯路の下流に排出するので、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時には水が混ざることがないため、高温の原水が使用でき食器の油落としなどには便利である。
【００１３】
請求項３では、請求項１に記載の浄水器付湯水混合栓において、前記湯水混合弁に水を供給する給水路と前記湯水混合弁で混合した混合水を排出する混合水路とをバイパスする分水路を設け、
前記温調弁を前記分水路と前記混合水路の接続部に配置し、
前記切替弁は前記分水路を開閉する機構を併設し、
浄水モードに切替えた場合のみ前記分水路を開成する構成とした。
【００１４】
上記発明によれば、給水路と混合水路とをバイパスする分水路を設け、温調弁を分水路と混合水路の接続部に配置し、切替弁は分水路を開閉する機構を併設し、浄水モードに切替えた場合のみ分水路を開成する構成としたことにより、温調弁は混合水路の上流から流入する湯と分水路から流入する水を所定の湯温に自動調節し混合水路の下流に排出するので、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時には水が混ざることがないため、高温の原水が使用でき食器の油落としなどには便利である。
【００１５】
請求項４では、請求項１に記載の浄水器付湯水混合栓において、前記湯水混合弁に水を供給する給水路と前記浄水器に混合水を流入する浄水路とをバイパスする分水路を設け、
前記温調弁を前記分水路と前記浄水路の接続部に配置し、
前記切替弁は前記分水路を開閉する機構を併設し、
浄水モードに切替えた場合のみ前記分水路を開成する構成とした。
【００１６】
上記発明によれば、給水路と浄水路とをバイパスする分水路を設け、温調弁を分水路と浄水路の接続部に配置し、切替弁は分水路を開閉する機構を併設し、浄水モードに切替えた場合のみ分水路を開成する構成としたことにより、温調弁は浄水路の上流から流入する湯と分水路から流入する水を所定の湯温に自動調節し浄水路の下流に排出するので、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時には水が混ざることがないため、高温の原水が使用でき食器の油落としなどには便利である。
【００１７】
請求項５では、湯水混合弁で湯水を混合した混合水を原水のまま吐水する原水モードまたは浄水器を介して吐水する浄水モードに切替える切替弁を備えた浄水器付湯水混合栓において、
前記切替弁から排出する混合水が所定温度以下になるように調整する温調弁を設けた。
【００１８】
上記発明によれば、切替弁から排出する混合水が所定温度以下になるように調整する温調弁を設け、原水モード／浄水モード時ともに温調弁が機能するように構成したことにより、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時にも水を混ぜるため、高温の原水が吐水されることがなくやけどの危険性が低減できる。また、浄水モード時のみ温調弁が機能するように構成するのに比べ、水通路や切替機構が簡略化されるためコスト的に有利である。
【００１９】
請求項６では、請求項５に記載の浄水器付湯水混合栓において、前記湯水混合弁に水を供給する給水路と湯を供給する給湯路とをバイパスする分水路を設け、
前記温調弁を前記分水路と前記給湯路の接続部に配置した構成とした。
【００２０】
上記発明によれば、給水路と給湯路とをバイパスする分水路を設け、温調弁を分水路と給湯路の接続部に配置した構成としたことにより、温調弁は給湯路の上流から流入する湯と分水路から流入する水を所定の湯温に自動調節し給湯路の下流に排出するので、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時にも水を混ぜるため、高温の原水が吐水されることがなくやけどの危険性が低減できる。また、浄水モード時のみ温調弁が機能するように構成するのに比べ、水通路や切替機構が簡略化されるためコスト的に有利である。
【００２１】
請求項７では、請求項５に記載の浄水器付湯水混合栓において、前記湯水混合弁に水を供給する給水路と前記湯水混合弁で混合した混合水を排出する混合水路とをバイパスする分水路を設け、
前記温調弁を前記分水路と前記混合水路の接続部に配置した構成とした。
【００２２】
上記発明によれば、給水路と混合水路とをバイパスする分水路を設け、温調弁を分水路と混合水路の接続部に配置した構成としたことにより、温調弁は混合水路の上流から流入する湯と分水路から流入する水を所定の湯温に自動調節し混合水路の下流に排出するので、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。その上、原水モード時にも水を混ぜるため、高温の原水が吐水されることがなくやけどの危険性が低減できる。また、浄水モード時のみ温調弁が機能するように構成するのに比べ、水通路や切替機構が簡略化されるためコスト的に有利である。
【００２３】
請求項８では、請求項１ないし請求項７に記載の浄水器付湯水混合栓において、前記温調弁は、
湯を流入する湯入口、水を流入する水入口、前記湯入口からの湯と前記水入口からの水を混合する温調室、前記温調室で混合された温調水を排出する混合水出口とを本体に備え、
前記湯入口と前記温調室を常時連通させ前記温調室への湯の流入量を略一定にするとともに、
ワックス式の感温体で検知した温調水の温度に基づいて、前記水入口から前記温調室への水の流入量を制御する弁機構を前記本体内に備えた。
【００２４】
上記発明によれば、温調室への湯の流入量を略一定にするとともに、温調水の温度により温調室への水の流入量を制御することにより、流入する湯の温度が高い場合は温調水の温度が高くなるため、温調室への水の流入量を増やして、所定の温度より高温の温調水が排出されないようするとともに、流入する湯の温度が低い場合は温調水の温度が低くなるため、温調室への水の流入量を抑えて、流入する湯の温度とほぼ同一の温度の温調水を排出させることができる。
【００２５】
請求項９では、請求項８に記載の浄水器付湯水混合栓において、前記弁機構は略直線的な形状を成して少なくとも弁体と前記感温体と前記感温体の検知温度に基づいて伸縮するピストンとで構成され、
前記本体の前記水入口と前記温調室の間に前記水入口側から水室と水出口を設け、
前記弁体を前記水室内に配置し、
前記感温体を格納する部分を前記温調室内に配置し、
前記ピストンを前記弁機構の前記温調室内の前記温調水出口側端部に配置し、
前記弁機構は前記感温体で検知した温調水の温度によって前記ピストンを伸縮させることにより前記弁体を移動させて前記弁体と前記水出口に設けた弁座との隙間を調節して前記温調室への水の流入量を制御するようにした。
【００２６】
上記発明によれば、弁体を水室内に配置し、感温体を温調室内に配置したことにより、万一、寿命などにより感温体が膨張したままの状態に至っても、弁体が水入口側に移動し、水の流入量が増加することになるため、高温の湯が排出されることのないフェールセーフの構成となる。
【００２７】
請求項１０では、請求項８または請求項９に記載の浄水器付湯水混合栓において、前記ピストンの前記温調水出口側への飛び出し位置を規制するガイドを前記本体内に設け、さらに前記ガイドの位置を調整できるようにした。
【００２８】
上記発明によれば、ガイドの位置を調整できるようにしたことにより、排出される温調水の温度の閾値を調整でき、組合わせる浄水器の耐熱温度や使用者の好みに応じて変更することができる。
【００２９】
請求項１１では、請求項１ないし請求項７に記載の温調弁において、湯を流入する湯入口、水を流入する水入口、前記湯入口からの湯と前記水入口からの水を混合する温調室、前記温調室で混合された温調水を排出する温調水出口とを本体に備え、
前記湯入口と前記温調室を常時連通させ前記温調室への湯の流入量を略一定にするとともに、
形状記憶バネ式の感温体で検知した温調水の温度に基づいて、前記水入口から前記温調室への水の流入量を制御する弁機構を前記本体内に備えた。
【００３０】
上記発明によれば、温調室への湯の流入量を略一定にするとともに、温調水の温度により温調室への水の流入量を制御することにより、流入する湯の温度が高い場合は温調水の温度が高くなるため、温調室への水の流入量を増やして、所定の温度より高温の温調水が排出されないようするとともに、流入する湯の温度が低い場合は温調水の温度が低くなるため、温調室への水の流入量を抑えて、流入する湯の温度とほぼ同一の温度の温調水を排出させることができる。また、形状記憶バネ式の感温体としたことで、俊敏な制御が可能となるため、流入する湯の温度が急に高温になっても温調水の温度を瞬時に低下させることができる。
【００３１】
請求項１２では、請求項１１に記載の浄水器付湯水混合栓において、前記弁機構は略直線的な形状を成して少なくとも弁体と感温体で構成され、
前記本体の前記水入口と前記温調室の間に前記水入口側から水室と水出口を設け、
前記弁体を前記水室内に配置し、
前記弁機構に装着された前記感温体を前記温調室内に配置し、
前記弁機構は検知した温調水の温度によって前記感温体のバネ定数を変化させることにより前記弁体を移動させて前記弁体と前記水出口に設けた弁座との隙間を調節して前記温調室への水の流入量を制御するようにした。
【００３２】
上記発明によれば、弁体を水室内に配置し、感温体を温調室内に配置したことにより、万一、寿命などにより感温体が膨張したままの状態に至っても、弁体が水入口側に移動し、水の流入量が増加することになるため、高温の湯が排出されることのないフェールセーフの構成となる。
【００３３】
請求項１３では、請求項１１または請求項１２に記載の浄水器付湯水混合栓において、前記感温体の前記温調水出口側の位置を規制するガイドを前記本体内に設けるとともに、前記ガイドの位置を調整できるようにした。
【００３４】
上記発明によれば、ガイドの位置を調整できるようにしたことにより、排出される温調水の温度の閾値を調整でき、組合わせる浄水器の耐熱温度や使用者の好みに応じて変更することができる。
【００３５】
ここで、「浄水器」とは、水道水などに含まれる赤さびなどの濁り・残留塩素・雑菌・重金属などの除去を行う装置等をいい、磁気式、紫外線式の浄水器やアルカリイオン水を生成する電解槽を組合せたものなどを示す。「湯水混合弁」とは、シングルレバー式、２ハンドル式、サーモスタット式などを含む。 
【発明の効果】
【００３６】
本発明によれば、温調弁を浄水器の耐熱温度（例えば６０℃）より低い温度（例えば５５℃）に自動設定するようにしておけば、浄水モード時に湯水混合弁が最も高温側であっても浄水器に高温の湯が流入することがなく、浄水器の破損や性能低下を防止しながら、吐水される混合水が所定の浄水器を通らない混合水に勝手に切替わったりぜず、温調され、かつ所定の浄水器を通った浄水を確実に使用できる。
【発明を実施するための最良の形態】
【００３７】
以下、本発明の実施形態に係る浄水器付湯水混合栓について図１〜図５を用いて説明する。
図１は第一実施形態を示す浄水器付湯水混合栓１であり、次のような構成となる。
本体４は、流し台などのカウンター１００上に図示しないナットや馬蹄型固定具などによりカウンター１００下方より締付けて固定されている。
【００３８】
本体４には、吐水管５が突設されており、この吐水管５の先端に、吐水ヘッド２０が回転自在にに保持されている。本体４には、湯水混合弁１１が内蔵されており、カウンター１００下方に設置される給水源２（例えば給水側止水栓）および給湯源３（例えば給湯側止水栓）からそれぞれ延びる給水路１２および給湯路１３がそれぞれ接続されている。また、本体４上部には、湯水混合ハンドル１０が取り付けられており、この湯水混合ハンドル１０の傾動・回動操作により湯水混合弁１１を駆動させ、給水源２から給水路１２を介して供給される水および給湯源３から給湯路１３を介して供給される湯を混合して所望の水量および温度に調節し、混合した混合水を混合水路１４に排出する。
【００３９】
また、混合水路１４の下流側は切替弁４１、吐水路２１、吐水ヘッド２０の順に接続されている。
【００４０】
カウンター１００下方には、水道水に含まれる赤さびや残留塩素等の不純物を濾過して除去する浄水器３０が設置されている。この浄水器３０は、活性炭や中空糸膜などのろ材を収納した交換可能なカートリッジを内蔵した浄水器、またはカートリッジそのものであり、耐熱温度は約６０℃とする。そして、浄水器３０には混合水を流入するための浄水路３１と混合水を濾過して排出するための浄水路３２が接続されている。また、浄水路３１の上流側は切替弁４１に接続され、浄水路３２の下流側は吐水路２１の途中に接続されている。
【００４１】
切替弁４１は本体４に内蔵されており、本体４の側面に配置された切替ハンドル４０により操作される。この切替ハンドル４０の回動操作により、混合水路１４から切替弁４１に流入した混合水を吐水路２１へ排出するか浄水路３１に排出するかのいずれかに切替える。そして、切替弁４１から吐水路２１に排出された混合水は、吐水ヘッド２０を経て原水のまま使用者へ吐水される。一方、切替弁４１から浄水路３１に排出された混合水は浄水器３０、浄水路３２、吐水路２１、吐水ヘッド２０を経て浄水として使用者へ吐水される。
【００４２】
さらに、給水路１２の途中に分岐継手５２、給湯路１３の途中に温調弁５０が設けられ、分岐継手５２から温調弁５０に給水路１２からの水をバイパスする分水路５１、５５が順に接続されている。また、分水路５５と分水路５１との間に切替弁４１が接続されている。
【００４３】
そして、温調弁５０は、給湯路１３の上流から流入した湯と分水路５５から流入した水を混合して調整し、調整した温調水を給湯路１３の下流へ排出する。
【００４４】
また、切替弁４１は、相互に連通しない２つの切替経路を有し、一方は上記したように混合水路１４から流入した混合水を吐水路２１へ排出するか浄水路３１に排出するかのいずれかに切替える経路で、もう一方は混合水を浄水路３１に排出するほうに切替えるのと同期して、分水路５１から流入した水を分水路５５に排出する経路である。
【００４５】
図２は第二実施形態を示す浄水器付湯水混合栓１であり、次のような構成となる。
図１と異なる点は、温調弁５０は混合水路１４の途中に設けられていることである。他の構成は図１と同様であり同じ構成には同一の符号を付している。
【００４６】
そして、温調弁５０は、混合水路１４の上流から流入した混合水と分水路５５から流入した水を混合して調整し、調整した温調水を混合水路１４の下流へ排出する。
【００４７】
図３は第三実施形態を示す浄水器付湯水混合栓１であり、次のような構成となる。
図１と異なる点は、温調弁５０は浄水路３１の途中に設けられていることである。他の構成は図１と同様であり同じ構成には同一の符号を付している。
【００４８】
そして、温調弁５０は、浄水路３１の上流から流入した混合水と分水路５５から流入した水を混合して調整し、調整した温調水を浄水路３１の下流へ排出する。
図４は第四実施形態を示す浄水器付湯水混合栓１であり、次のような構成となる。
本体４は、流し台などのカウンター１００上に図示しないナットや馬蹄型固定具などによりカウンター１００下方より締付けて固定されている。
【００４９】
本体４には、吐水管５が突設されており、この吐水管５の先端に、吐水ヘッド２０が回転自在にに保持されている。本体４には、湯水混合弁１１が内蔵されており、カウンター１００下方に設置される給水源２（例えば給水側止水栓）および給湯源３（例えば給湯側止水栓）からそれぞれ延びる給水路１２および給湯路１３がそれぞれ接続されている。また、本体４上部には、湯水混合ハンドル１０が取り付けられており、この湯水混合ハンドル１０の傾動・回動操作により湯水混合弁１１を駆動させ、給水源２から給水路１２を介して供給される水および給湯源３から給湯路１３を介して供給される湯を混合して所望の水量および温度に調節し、混合した混合水を混合水路１４に排出する。
【００５０】
また、混合水路１４の下流側は切替弁４１、吐水路２１、吐水ヘッド２０の順に接続されている。
【００５１】
カウンター１００下方には、水道水に含まれる赤さびや残留塩素等の不純物を濾過して除去する浄水器３０が設置されている。この浄水器３０は、活性炭や中空糸膜などのろ材を収納した交換可能なカートリッジを内蔵した浄水器、またはカートリッジそのものであり、耐熱温度は約６０℃とする。そして、浄水器３０には混合水を流入するための浄水路３１と混合水を濾過して排出するための浄水路３２が接続されている。また、浄水路３１の上流側は切替弁４１に接続され、浄水路３２の下流側は吐水路２１の途中に接続されている。
【００５２】
切替弁４１は本体４に内蔵されており、本体４の側面に配置された切替ハンドル４０により操作される。この切替ハンドル４０の回動操作により、混合水路１４から切替弁４１に流入した混合水を吐水路２１へ排出するか浄水路３１に排出するかのいずれかに切替える。そして、切替弁４１から吐水路２１に排出された混合水は、吐水ヘッド２０を経て原水のまま使用者へ吐水される。一方、切替弁４１から浄水路３１に排出された混合水は浄水器３０、浄水路３２、吐水ヘッド２０を経て浄水として使用者へ吐水される。
【００５３】
さらに、給水路１２の途中に分岐継手５２、給湯路１３の途中に温調弁５０が設けられ、分岐継手５２から温調弁５０に給水路１２からの水をバイパスする分水路５１が接続されている。
【００５４】
そして、温調弁５０は、給湯路１３の上流から流入した湯と分水路５１から流入した水を混合して調整し、調整した温調水を給湯路１３の下流へ排出する。
【００５５】
また、切替弁４１は、１つの切替経路を有し、上記したように混合水路１４から流入した混合水を吐水路２１へ排出するか浄水路３１に排出するかのいずれかに切替える経路である。
【００５６】
図５は第五実施形態を示す浄水器付湯水混合栓１であり、次のような構成となる。
図４と異なる点は、温調弁５０は混合水路１４の途中に設けられていることである。他の構成は図４と同様であり同じ構成には同一の符号を付している。
【００５７】
そして、温調弁５０は、混合水路１４の上流から流入した混合水と分水路５１から流入した水を混合して調整し、調整した温調水を混合水路１４の下流へ排出する。
【００５８】
つぎに、第一実施形態の場合の切替弁４１の切替機構について図１、図６を用いて詳細に説明する。
【００５９】
切替弁４１は、一点鎖線で示す回転軸上に円筒形状の弁ケース４８に、弁棒４４に固定された円筒形状の弁体４６が内蔵され、ナット４３により本体４内に固定されている。弁体４６には、回転軸方向に弁体４６内を相互に連通しない２つの切替経路を形成するために２つの空間に仕切る隔壁を有する。弁ケース４８には、一方の切替経路に関するものとして、本体４に形成された吐水路２１に連通する側に弁パッキン４５Ａと浄水路３１に連通する側に弁パッキン４５Ｂが装着され、もう一方の切替経路に関するものとして、分水路５５に連通する側に弁パッキン４５Ｃと分水路５１に連通する側に弁パッキン４５Ｄが装着されている。弁棒４４には、切替ハンドル４０がネジ４２により固定されている。弁体４６は、一方の切替経路に関するものとして、円筒面上に開口４７Ａ、４７Ｂ、および回転軸方向の混合水路１４に連通する側に開口４７Ｃを有し、もう一方の切替経路に関するものとして、円筒面上に開口４７Ｄ、４７Ｅを有する。
【００６０】
上記した構成により、まず、切替ハンドル４０を回動操作し、弁体４６を図６（Ａ）の状態にすると、一方の切替経路では、開口４７Ａは吐水路２１に連通する側に向くため混合水は混合水路１４から開口４７Ｃを経て弁体４６内に流入し開口４７Ａを経て吐水路２１に排出され、もう一方の切替経路では、開口４７Ｄ、開口４７Ｅともに分水路５５、分水路５１に連通する側に向かないため経路は遮断され、混合水が混合水路１４、切替弁４１、吐水路２１を経て原水のまま吐水ヘッド２０から吐水される。つぎに、図６（Ａ）の状態から、切替ハンドル４０を約９０°回動操作し、弁体４６を図６（Ｂ）の状態にすると、一方の切替経路では、開口４７Ｂは浄水路３１に連通する側に向くため混合水は混合水路１４から開口４７Ｃを経て弁体４６内に流入し開口４７Ｂを経て浄水路３１に排出され、もう一方の切替経路では、開口４７Ｄは分水路５５に連通する側に向き、開口４７Ｅは分水路５１に連通する側に向くため、給湯路１３の上流から流入した湯と分水路５１、切替弁４１を経て分水路５５から流入した水を温調弁５０で混合して温調し、その温調された温調水が湯水混合弁１１、混合水路１４、切替弁４１、浄水路３１、浄水器３０、浄水路３２、吐水路２１を経て浄水として吐水ヘッド２０から吐水される。このようにして、切替ハンドル４０により切替弁４１を駆動させることにより、温調弁５０で温調されない原水と温調弁５０で温調された浄水の吐水切替が可能となる。
【００６１】
つぎに、第二実施形態の場合の切替弁４１の切替機構について図２、図６を用いて詳細に説明する。
【００６２】
第一実施形態の場合と同様の構成により、まず、切替ハンドル４０を回動操作し、弁体４６を図６（Ａ）の状態にすると、一方の切替経路では、開口４７Ａは吐水路２１に連通する側に向くため混合水は混合水路１４から開口４７Ｃを経て弁体４６内に流入し開口４７Ａを経て吐水路２１に排出され、もう一方の切替経路では、開口４７Ｄ、開口４７Ｅともに分水路５５、分水路５１に連通する側に向かないため経路は遮断され、混合水が混合水路１４、切替弁４１、吐水路２１を経て原水のまま吐水ヘッド２０から吐水される。つぎに、図６（Ａ）の状態から、切替ハンドル４０を約９０°回動操作し、弁体４６を図６（Ｂ）の状態にすると、一方の切替経路では、開口４７Ｂは浄水路３１に連通する側に向くため混合水は混合水路１４から開口４７Ｃを経て弁体４６内に流入し開口４７Ｂを経て浄水路３１に排出され、もう一方の切替経路では、開口４７Ｄは分水路５５に連通する側に向き、開口４７Ｅは分水路５１に連通する側に向くため、混合水路１４の上流から流入した混合水と分水路５１、切替弁４１を経て分水路５５から流入した水を温調弁５０で混合して温調し、その温調された温調水が混合水路１４、切替弁４１、浄水路３１、浄水器３０、浄水路３２、吐水路２１を経て浄水として吐水ヘッド２０から吐水される。このようにして、切替ハンドル４０により切替弁４１を駆動させることにより、温調弁５０で温調されない原水と温調弁５０で温調された浄水の吐水切替が可能となる。
【００６３】
つぎに、第三実施形態の場合の切替弁４１の切替機構について図３、図６を用いて詳細に説明する。
【００６４】
第一実施形態の場合と同様の構成により、まず、切替ハンドル４０を回動操作し、弁体４６を図６（Ａ）の状態にすると、一方の切替経路では、開口４７Ａは吐水路２１に連通する側に向くため混合水は混合水路１４から開口４７Ｃを経て弁体４６内に流入し開口４７Ａを経て吐水路２１に排出され、もう一方の切替経路では、開口４７Ｄ、開口４７Ｅともに分水路５５、分水路５１に連通する側に向かないため経路は遮断され、混合水が混合水路１４、切替弁４１、吐水路２１を経て原水のまま吐水ヘッド２０から吐水される。つぎに、図６（Ａ）の状態から、切替ハンドル４０を約９０°回動操作し、弁体４６を図６（Ｂ）の状態にすると、一方の切替経路では、開口４７Ｂは浄水路３１に連通する側に向くため混合水は混合水路１４から開口４７Ｃを経て弁体４６内に流入し開口４７Ｂを経て浄水路３１に排出され、もう一方の切替経路では、開口４７Ｄは分水路５５に連通する側に向き、開口４７Ｅは分水路５１に連通する側に向くため、浄水路５５から流入した混合水と分水路５１、切替弁４１を経て分水路５５から流入した水を温調弁５０で混合して温調し、その温調された温調水が浄水路３１、浄水器３０、浄水路３２、吐水路２１を経て浄水として吐水ヘッド２０から吐水される。このようにして、切替ハンドル４０により切替弁４１を駆動させることにより、温調弁５０で温調されない原水と温調弁５０で温調された浄水の吐水切替が可能となる。
【００６５】
つぎに、第四実施形態の場合の切替弁４１の切替機構について図４、図７を用いて詳細に説明する。
切替弁４１は、一点鎖線で示す回転軸上に円筒形状の弁ケース４８に、弁棒４４に固定された円筒形状の弁体４６が内蔵され、ナット４３により固定されている。弁ケース４８には本体４に形成された吐水路２１に連通する側に弁パッキン４５Ａと浄水路３１に連通する側に弁パッキン４５Ｂが装着されている。弁棒４４には切替ハンドル４０がネジ４２により固定されている。弁４６は、円筒面上に開口４７Ａ、４７Ｂ、および回転軸方向の混合水路１４に連通する側に開口４７Ｃを有する。
【００６６】
上記した構成により、まず、切替ハンドル４０を回動操作し、弁体４６を図７（Ａ）の状態にすると、開口４７Ａは吐水路２１に連通する側に向くため混合水は混合水路１４から開口４７Ｃを経て弁体４６内に流入し開口４７Ａを経て吐水路２１に排出されるため、給湯路１３の上流から流入した湯と分水路５１から流入した水を温調弁５０で混合して温調し、その温調した温調水が給湯路１３、湯水混合弁１１、混合水路１４、切替弁４１、吐水路２１を経て原水のまま吐水ヘッド２０から吐水される。つぎに、図４（Ａ）の状態から、切替ハンドル４０を約９０°回動操作し、弁体４６を図４（Ｂ）の状態にすると、開口４７Ｂは浄水路３１に連通する側に向くため混合水は混合水路１４から開口４７Ｃを経て弁体４６内に流入し開口４７Ｂを経て浄水路３１に排出されるため、給湯路１３の上流から流入した湯と分水路５１から流入した水を温調弁５０で混合して温調し、その温調した温調水が給湯路１３、湯水混合弁１１、混合水路１４、切替弁４１、浄水路３１、浄水器３０、浄水路３２、吐水路２１を経て浄水として吐水ヘッド２０から吐水される。このようにして、切替ハンドル４０により切替弁４１を駆動させることにより、温調弁５０で温調された原水／浄水の吐水切替が可能となる。
【００６７】
つぎに、第五実施形態の場合の切替弁４１の切替機構について図５、図７を用いて詳細に説明する。
切替弁４１は、一点鎖線で示す回転軸上に円筒形状の弁ケース４８に、弁棒４４に固定された円筒形状の弁体４６が内蔵され、ナット４３により固定されている。弁ケース４８には本体４に形成された吐水路２１に連通する側に弁パッキン４５Ａと浄水路３１に連通する側に弁パッキン４５Ｂが装着されている。弁棒４４には切替ハンドル４０がネジ４２により固定されている。弁４６は、円筒面上に開口４７Ａ、４７Ｂ、および回転軸方向の混合水路１４に連通する側に開口４７Ｃを有する。
【００６８】
上記した構成により、まず、切替ハンドル４０を回動操作し、弁体４６を図７（Ａ）の状態にすると、開口４７Ａは吐水路２１に連通する側に向くため混合水は混合水路１４から開口４７Ｃを経て弁体４６内に流入し開口４７Ａを経て吐水路２１に排出されるため、混合水路１４の上流から流入した湯と分水路５１から流入した水を温調弁５０で混合して温調し、その温調した温調水が混合水路１４、切替弁４１、吐水路２１を経て原水のまま吐水ヘッド２０から吐水される。つぎに、図４（Ａ）の状態から、切替ハンドル４０を約９０°回動操作し、弁体４６を図４（Ｂ）の状態にすると、開口４７Ｂは浄水路３１に連通する側に向くため混合水は混合水路１４から開口４７Ｃを経て弁体４６内に流入し開口４７Ｂを経て浄水路３１に排出されるため、混合水路１４の上流から流入した湯と分水路５１から流入した水を温調弁５０で混合して温調し、その温調した温調水が混合水路１４、切替弁４１、浄水路３１、浄水器３０、浄水路３２、吐水路２１を経て浄水として吐水ヘッド２０から吐水される。このようにして、切替ハンドル４０により切替弁４１を駆動させることにより、温調弁５０で温調された原水／浄水の吐水切替が可能となる。
【００６９】
ここで、温調弁５０にワックス式の感温体を用いた場合の温調弁５０Ａの温調機構について図８、図９を用いて詳細に説明する。
温調弁５０Ａの温調弁本体６０は３つの端部を持つ複数の円筒を組合わせた形状を成し、一円筒部の相対する端部に、給水路１２の上流から水を流入するための水入口６７Ａと、給湯路１３の上流からの湯（第二、第五実施形態の場合は混合水路１４の上流からの混合水、第三実施形態の場合は浄水路３１の上流からの混合水）を流入するための湯入口６７Ｂをそれぞれ形成し、その円筒部の側壁から突出した別の円筒部の端部に、流入した水と湯（または混合水）を混合して温調した温調水を給湯路１３の下流へ排出するための温調水出口６７Ｃを形成している。また、温調弁本体６０の内部には、水室６７Ｆ、水出口６７Ｅ、温調室６７Ｇ、湯出口６７Ｄが形成されている。そして、水入口６７Ａは、下流方向に水室６７Ｆ、水出口６７Ｅ、温調室６７Ｇを経て温調水出口６７Ｃと連通し、湯入口６７Ｂは、下流方向に湯出口６７Ｄを経て温調室６７Ｇに連通している。さらに、水出口６７Ｅには、水室６７Ｆに面した口縁に環状の弁座６５を有する。
【００７０】
また、水入口６７Ａから温調水出口６７Ｃを結ぶ温調弁本体６０内のほぼ直線上に、上流から、全て円柱状を成すガイド軸７１、バネ押え部７６、弁体７２、感温体を格納した感温部７３、キャップ７４、ピストン７５を一体的に有する弁７０が配置されている。この内、ガイド軸７１、バネ押え部７６、弁体７２は水室６７Ｆ内に、感温部７３、キャップ７４、ピストン７５は温調室６７Ｇ内に配置されている。
弁７０は、感温部７３内に格納した感温体であるワックスの温度による体積変化を利用してピストン７５をスライドさせて、ピストン７５のキャップ７４から突出する長さを変化させる仕組みになっている。
ガイド軸７１には、バネガイド６９Ａ、６９Ｂで挟んで保持され、ピストン７５の突出長さを吸収するのに十分な長さを有するバイアスバネ６１が装着されている。また、ピストン７５には、ピストン７５をガイドしながらピストン７５が所定の位置より下流に飛び出ないように規制するピストンガイド６８が装着されている。
また、バネガイド６９Ａの上流側への移動を規制する止め輪６６Ａと、ピストンガイド６８の下流側への移動を規制する止め輪６６Ｂが温調弁本体６０に固定されている。
【００７１】
上記した構成により、浄水器３０の耐熱温度未満の湯（以下低温の湯とする）が湯入口６７Ｂに流入している図８の状態から、浄水器３０の耐熱温度以上の湯（以下高温の湯とする）が湯入口６７Ｂに流入してきた場合、湯入口６７Ｂから流入した高温の湯は湯出口６７Ｄを経て温調室６７Ｇに流入するため、図９のように感温部７３内のワックスが高温を検知して膨張し、ピストン７５のキャップ７４から突出する長さが長くなるため、ピストンガイド６８によりピストン７５の下流側への突出が規制される。この反動により、温調弁７０のガイド軸７１〜キャップ７４が上流側に移動するためバネ押え部７６がバイアスバネ６１を押し縮めると同時に弁体７２が弁座６５から離れ、水出口６７Ｅは開放されて水入口６７Ａから流入した水は温調室６７Ｇへ流入する状態となる。すなわち、湯入口６７Ｂから流入した高温の湯と水出口６７Ｅから流入した水が温調室６７Ｇで混合されて温調水出口６７Ｃから流出する状態となる。
そして、温調室６７Ｇで混合された温調水の温度を感温部７３内のワックスが検知して、温調水の温度が浄水器３０の耐熱温度未満（例えば５５℃）になるように弁体７２の位置を自動調整して水出口６７Ｅから流入する水量を調整する。
【００７２】
浄水器３０の低温の湯が湯入口６７Ｂに流入してきた場合、湯入口６７Ｂから流入した低温の湯は湯出口６７Ｄを経て温調室６７Ｇに流入するため、再び図１のように感温部７３内のワックスが低温を検知するとともに、バイアスバネ６１がバネ押え部７６を押すことにより感温部７３内のワックスが収縮し、温調弁７０のガイド軸７１〜キャップ７４が下流側に移動するため弁体７２が弁座６５に密着し、水出口６７Ｅは閉塞されて水入口６７Ａから流入した水は温調室６７Ｇへは流入しない状態となる。すなわち、湯入口６７Ｂから流入する低温の湯しか温調水出口６７Ｃから流出しない状態となる。
【００７３】
ここで、温調弁５０に形状記憶バネ式の感温体を用いた場合の温調弁５０Ｂの温調機構について図１４、図１５を用いて詳細に説明する。
温調弁５０Ｂの温調弁本体６０は３つの端部を持つ複数の円筒を組合わせた形状を成し、一円筒部の相対する端部に給水路１２の上流から水を流入するための水入口６７Ａと、給湯路１３の上流からの湯（第二、第五実施形態の場合は混合水路１４の上流からの混合水、第三実施形態の場合は浄水路３１の上流からの混合水）を流入するための湯入口６７Ｂをそれぞれ形成し、その円筒部の側壁から突出した別の円筒部の端部に流入した水と湯（または混合水）を混合して温調した温調水を給湯路１３の下流へ排出するための温調水出口６７Ｃを形成している。また、温調弁本体６０の内部には、水室６７Ｆ、水出口６７Ｅ、温調室６７Ｇ、湯出口６７Ｄが形成されている。そして、水入口６７Ａは、下流方向に水室６７Ｆ、水出口６７Ｅ、温調室６７Ｇを経て温調水出口６７Ｃと連通し、湯入口６７Ｂは、下流方向に湯出口６７Ｄを経て温調室６７Ｇに連通している。さらに、水出口６７Ｅには、水室６７Ｆに面した口縁に環状の弁座６５を有する。
【００７４】
また、水入口６７Ａから温調水出口６７Ｃを結ぶ温調弁本体６０内のほぼ直線上に、上流から、円柱状を成すガイド軸７１、バネ押え部７６、弁体７２、形状記憶バネ押え部７９、ピストン７５を一体的に有し、ビストン７５に感温体として形状記憶バネ７８が装着されている弁７０が配置されている。また、形状記憶バネ７８は形状記憶バネ押え部７９を確実に押すように形状記憶バネガイド７７がピストン７５に装着されている。この内、ガイド軸７１、バネ押え部７６、弁体７２は水室６７Ｆ内に、形状記憶バネ押え部７９、ピストン７５、形状記憶バネ７８は温調室６７Ｇ内に配置されている。なお、形状記憶バネガイド７７がなくても形状記憶バネ７８が形状記憶バネ押え部７９を確実に押すようにしていれば形状記憶バネガイド７７を設ける必要はない。
【００７５】
弁７０は、形状記憶バネ７８の温度によるバネ定数の変化を利用して形状記憶バネ押え部７９を押す力を変化させる仕組みになっている。
ガイド軸７１には、バネガイド６９Ａ、６９Ｂで挟んで保持され、形状記憶バネ７８の形状記憶バネ押え部７９を押す長さを吸収するのに十分な長さを有するバイアスバネ６１が装着されている。また、ピストン７５には、ピストン７５をガイドしながら形状記憶バネ７８が所定の位置より下流に飛び出ないように規制するピストンガイド６８が装着されている。
また、バネガイド６９Ａの上流側への移動を規制する止め輪６６Ａと、ピストンガイド６８の下流側への移動を規制する止め輪６６Ｂが温調弁本体６０に固定されている。
【００７６】
上記した構成により、浄水器３０の耐熱温度未満の湯（以下低温の湯とする）が湯入口６７Ｂに流入している図１４の状態から、浄水器３０の耐熱温度以上の湯（以下高温の湯とする）が湯入口６７Ｂに流入してきた場合、湯入口６７Ｂから流入した高温の湯は湯出口６７Ｄを経て温調室６７Ｇに流入するため、図１５のように形状記憶バネ７８が高温を検知してバネ定数が大きくなり、形状記憶バネ７８が形状記憶バネ押え部７９を上流方向へ押すため、温調弁７０のガイド軸７１〜ピストン７５が上流側に移動するためバネ押え部７６がバイアスバネ６１を押し縮めると同時に弁体７２が弁座６５から離れ、水出口６７Ｅは開放されて水入口６７Ａから流入した水は温調室６７Ｇへ流入する状態となる。すなわち、湯入口６７Ｂから流入した高温の湯と水出口６７Ｅから流入した水が温調室６７Ｇで混合されて温調水出口６７Ｃから流出する状態となる。
そして、温調室６７Ｇで混合された温調水の温度を形状記憶バネ７８が検知して、温調水の温度が浄水器３０の耐熱温度未満（例えば５５℃）になるように弁体７２の位置を自動調整して水出口６７Ｅから流入する水量を調整する。
【００７７】
浄水器３０の耐熱温度未満の湯が湯入口６７Ｂに流入してきた場合、湯入口６７Ｂから流入した低温の湯は湯出口６７Ｄを経て温調室６７Ｇに流入するため、再び図１４のように形状記憶バネ７８が低温を検知してバネ定数が小さくなるともに、バイアスバネ６１がバネ押え部７６を押すことにより形状記憶バネ７８が収縮し、温調弁７０のガイド軸７１〜ピストン７５が下流側に移動するため弁体７２が弁座６５に密着し、水出口６７Ｅは閉塞されて水入口６７Ａから流入した水は温調室６７Ｇへは流入しない状態となる。すなわち、湯入口６７Ｂから流入する低温の湯しか温調水出口６７Ｃから流出しない状態となる。
なお、弁体７２や弁座６５にパッキンなどを使用すれば、湯入口６７Ｂからの低温の湯の流入時、温調室６７Ｇへの水の流入が完全に閉止でき低温の湯に混ざってしまうことがない。
【００７８】
以上説明した各構成において、例えば、給湯路１３に流入する湯の熱源をタンクに貯湯した湯に水を混合して設定温度に調節する温調機能の付いた電気温水器とし、電気温水器の設定温度を適温（例えば４０℃）にしている場合の各実施形態の原水／浄水使用時の動作について説明する。
第一実施形態において、適温の原水を使おうと、切替ハンドル４０により切替弁４１の一方の経路を混合水路１４から流入する混合水を吐水路２１に排出するように切替えると同時にもう一方の経路を分水路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した適温の湯は湯出口６７Ｄを経て温調室６７Ｇに流入する。このとき水入口６７Ａから水は流入しないため、湯入口６７Ｂから流入する適温の湯のみが温調水出口６７Ｃから給湯路１３の下流へ排出される。そして、給湯路１３から湯水混合弁１１、混合水路１４、切替弁４１、吐水路２１、吐水ヘッド２０を経て電気温水器で設定した設定温度とほぼ同じ適温の原水が使用者へ吐水される。
【００７９】
つぎに、適温の浄水を使おうと、切替ハンドル４０により切替弁４１の一方の経路を混合水路１４から流入する混合水を浄水路３１に排出するように切替えると同時にもう一方の経路を分水路５１から流入する水を開放するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した適温の湯は湯出口６７Ｄを経て温調室６７Ｇに流入する。このとき分水路５１、切替弁４１、分水路５５を経て水入口６７Ａから水が流入しようとするが、水出口６７Ｅは弁体７２により閉塞されるため、湯入口６７Ｂから流入する適温の湯のみが温調水出口６７Ｃから給湯路１３の下流へ排出される。そして、給湯路１３から湯水混合弁１１、混合水路１４、切替弁４１、浄水路３１、浄水器３０、浄水路３２、吐水路２１、吐水ヘッド２０を経て電気温水器で設定した設定温度とほぼ同じ適温の浄水が使用者へ吐水される。
【００８０】
第二実施形態において、適温の原水を使おうと、切替ハンドル４０により切替弁４１の一方の経路を混合水路１４から流入する混合水を吐水路２１に排出するように切替えると同時にもう一方の経路を分水路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した適温の湯は湯出口６７Ｄを経て温調室６７Ｇに流入する。このとき水入口６７Ａから水は流入しないため、湯入口６７Ｂから流入する適温の湯のみが温調水出口６７Ｃから混合水路１４の下流へ排出される。そして、混合水路１４からが切替弁４１、吐水路２１、吐水ヘッド２０を経て電気温水器で設定した設定温度とほぼ同じ適温の原水が使用者へ吐水される。
【００８１】
つぎに、適温の浄水を使おうと、切替ハンドル４０により切替弁４１の一方の経路を混合水路１４から流入する混合水を浄水路３１に排出するように切替えると同時にもう一方の経路を分水路５１から流入する水を開放するように切替えるとともに、湯水混合ハンドル１０により湯水混合弁１１を給湯路１３から流入する湯のみを混合水路１４に排出するように調節する。
【００８２】
そうすると、給湯源３、給湯路１３、湯水混合弁１１、混合水路１４を経て温調弁５０の湯入口６７Ｂから流入した適温の湯は湯出口６７Ｄを経て温調室６７Ｇに流入する。このとき分水路５１、切替弁４１、分水路５５を経て水入口６７Ａから水が流入しようとするが、水出口６７Ｅは弁体７２により閉塞されるため、湯入口６７Ｂから流入する適温の湯のみが温調水出口６７Ｃから混合水路１４の下流へ排出される。そして、混合水路１４から切替弁４１、浄水路３１、浄水器３０、浄水路３２、吐水路２１、吐水ヘッド２０を経て電気温水器で設定した設定温度とほぼ同じ適温の浄水が使用者へ吐水される。
【００８３】
第三実施形態において、適温の原水を使おうと、切替ハンドル４０により切替弁４１の一方の経路を混合水路１４から流入する混合水を吐水路２１に排出するように切替えると同時にもう一方の経路を分水路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４、切替弁４１を経て適温の湯は吐水路２１に流入する。このとき水入口６７Ａから水、および湯入口６７Ｂから湯は流入しないため、この適温の湯のみが吐水路２１から吐水ヘッド２０を経て電気温水器で設定した設定温度とほぼ同じ適温の原水が使用者へ吐水される。
【００８４】
つぎに、適温の浄水を使おうと、切替ハンドル４０により切替弁４１の一方の経路を混合水路１４から流入する混合水を浄水路３１に排出するように切替えると同時にもう一方の経路を分水路５１から流入する水を開放するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４、切替弁４１、浄水路３１を経て温調弁５０の湯入口６７Ｂから流入した適温の湯は湯出口６７Ｄを経て温調室６７Ｇに流入する。このとき分水路５１、切替弁４１、分水路５５を経て水入口６７Ａから水が流入しようとするが、水出口６７Ｅは弁体７２により閉塞されるため、湯入口６７Ｂから流入する適温の湯のみが温調水出口６７Ｃから浄水路３１の下流へ排出される。そして、浄水路３１から浄水器３０、浄水路３２、吐水路２１、吐水ヘッド２０を経て電気温水器で設定した設定温度とほぼ同じ適温の浄水が使用者へ吐水される。
【００８５】
第四実施形態において、適温の原水を使おうと、切替ハンドル４０により切替弁４１を混合水路１４から流入する混合水を吐水路２１に排出するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した適温の湯は湯出口６７Ｄを経て温調室６７Ｇに流入する。このとき水出口６７Ｅは弁体７２により閉塞されるため、湯入口６７Ｂから流入する適温の湯のみが温調水出口６７Ｃから給湯路１３の下流へ排出される。そして、給湯路１３から湯水混合弁１１、混合水路１４、切替弁４１、吐水路２１、吐水ヘッド２０を経て電気温水器で設定した設定温度とほぼ同じ適温の原水が使用者へ吐水される。
【００８６】
つぎに、適温の浄水を使おうと、切替ハンドル４０により切替弁４１を混合水路１４から流入する混合水を浄水路３１に排出するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した適温の湯は湯出口６７Ｄを経て温調室６７Ｇに流入する。このとき水出口６７Ｅは弁体７２により閉塞されるため、湯入口６７Ｂから流入する適温の湯のみが温調水出口６７Ｃから給湯路１３の下流へ排出される。そして、給湯路１３から湯水混合弁１１、混合水路１４、切替弁４１、浄水路３１、浄水器３０、浄水路３２、吐水路２１、吐水ヘッド２０を経て電気温水器で設定した設定温度とほぼ同じ適温の浄水が使用者へ吐水される。
【００８７】
第五実施形態において、適温の原水を使おうと、切替ハンドル４０により切替弁４１を混合水路１４から流入する混合水を吐水路２１に排出するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した適温の湯は湯出口６７Ｄを経て温調室６７Ｇに流入する。このとき水出口６７Ｅは弁体７２により閉塞されるため、湯入口６７Ｂから流入する適温の湯のみが温調水出口６７Ｃから混合水路１４の下流へ排出される。そして、混合水路１４から切替弁４１、吐水路２１、吐水ヘッド２０を経て電気温水器で設定した設定温度とほぼ同じ適温の原水が使用者へ吐水される。
【００８８】
つぎに、適温の浄水を使おうと、切替ハンドル４０により切替弁４１を混合水路１４から流入する混合水を浄水路３１に排出するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した適温の湯は湯出口６７Ｄを経て温調室６７Ｇに流入する。このとき水出口６７Ｅは弁体７２により閉塞されるため、湯入口６７Ｂから流入する適温の湯のみが温調水出口６７Ｃから混合水路１４の下流へ排出される。そして、混合水路１４から切替弁４１、浄水路３１、浄水器３０、浄水路３２、吐水路２１、吐水ヘッド２０を経て電気温水器で設定した設定温度とほぼ同じ適温の浄水が使用者へ吐水される。
すなわち、熱源の設定温度を適温にしている場合、原水／浄水ともにその設定温度とほぼ同じ温度で使用することができる。
【００８９】
一方、例えば、給湯路１３に流入する湯の熱源をタンクに貯湯した湯をそのまま給湯する電気温水器とし、電気温水器の沸き上げ温度を高温（例えば８５℃）にしている場合の各実施形態の原水／浄水使用時の動作について説明する。
第一実施形態において、高温の原水を使おうと、切替ハンドル４０により切替弁４１の一方の経路を混合水路１４から流入する混合水を吐水路２１に排出するように切替えると同時にもう一方の経路を分岐路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した高温の湯は湯出口６７Ｄを経て温調室６７Ｇに流入する。このとき水入口６７Ａから水は流入しないため、湯入口６７Ｂから流入した高温の湯のみが温調水出口６７Ｃから給湯路１３の下流へ排出される。そして、給湯路１３から湯水混合弁１１、混合水路１４、切替弁４１、吐水路２１、吐水ヘッド２０を経て電気温水器で設定した設定温度とほぼ同じ高温の原水が使用者へ吐水される。
【００９０】
つぎに、高温の浄水を使おうと、切替ハンドル４０により切替弁４１の一方の経路を混合水路１４から流入する混合水を浄水路３１に排出するように切替えると同時にもう一方の経路を分岐路５１から流入する水を開放するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した高温の湯は湯出口６７Ｄを経て温調室６７Ｇに流入する。このとき分水路５１、切替弁４１、分水路５５を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから給湯路１３の下流へ排出される。そして、給湯路１３から湯水混合弁１１、混合水路１４、切替弁４１、浄水路３１、浄水器３０、浄水路３２、吐水路２１、吐水ヘッド２０を経て浄水器３０の耐熱温度より少し低い温度の浄水が使用者へ吐水される。
【００９１】
第二実施形態において、高温の原水を使おうと、切替ハンドル４０により切替弁４１の一方の経路を混合水路１４から流入する混合水を吐水路２１に排出するように切替えると同時にもう一方の経路を分岐路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した高温の湯は湯出口６７Ｄを経て温調室６７Ｇに流入する。このとき水入口６７Ａから水は流入しないため、湯入口６７Ｂから流入した高温の湯のみが温調水出口６７Ｃ混合水路１４の下流へ排出される。そして、混合水路１４から切替弁４１、吐水路２１、吐水ヘッド２０を経て電気温水器で設定した設定温度とほぼ同じ高温の原水が使用者へ吐水される。
【００９２】
つぎに、高温の浄水を使おうと、切替ハンドル４０により切替弁４１の一方の経路を混合水路１４から流入する混合水を浄水路３１に排出するように切替えると同時にもう一方の経路を分岐路５１から流入する水を開放するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した高温の湯は湯出口６７Ｄを経て温調室６７Ｇに流入する。このとき分水路５１、切替弁４１、分水路５５を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから混合水路１４の下流へ排出される。そして、混合水路１４から切替弁４１、浄水路３１、浄水器３０、浄水路３２、吐水路２１、吐水ヘッド２０を経て浄水器３０の耐熱温度より少し低い温度の浄水が使用者へ吐水される。
【００９３】
第三実施形態において、高温の原水を使おうと、切替ハンドル４０により切替弁４１の一方の経路を混合水路１４から流入する混合水を吐水路２１に排出するように切替えると同時にもう一方の経路を分岐路５１から流入する水を遮断するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４、切替弁４１を経て吐水路２１に流入する。このとき水入口６７Ａから水、および湯入口６７Ｂから湯は流入しないため、この高温の湯のみが吐水路２１から吐水ヘッド２０を経て電気温水器で設定した設定温度とほぼ同じ高温の原水が使用者へ吐水される。
【００９４】
つぎに、高温の浄水を使おうと、切替ハンドル４０により切替弁４１の一方の経路を混合水路１４から流入する混合水を浄水路３１に排出するように切替えると同時にもう一方の経路を分岐路５１から流入する水を開放するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４、切替弁４１、浄水路３１を経て温調弁５０の湯入口６７Ｂから流入した高温の湯は湯出口６７Ｄを経て温調室６７Ｇに流入する。このとき分水路５１、切替弁４１、分水路５５を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから浄水路３１の下流へ排出される。そして、浄水路３１から浄水器３０、浄水路３２、吐水路２１、吐水ヘッド２０を経て浄水器３０の耐熱温度より少し低い温度の浄水が使用者へ吐水される。
【００９５】
第四実施形態において、高温の原水を使おうと、切替ハンドル４０により切替弁４１を混合水路１４から流入する混合水を吐水路２１に排出するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した高温の湯は湯出口６７Ｄを経て温調室６７Ｇに流入する。このとき分水路５１を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから給湯路１３の下流へ排出される。そして、給湯路１３から湯水混合弁１１、混合水路１４、切替弁４１、吐水路２１、吐水ヘッド２０を経て浄水器３０の耐熱温度より少し低い温度の原水が使用者へ吐水される。
【００９６】
つぎに、高温の浄水を使おうと、切替ハンドル４０により切替弁４１を混合水路１４から流入する混合水を浄水路３１に排出するように切替えるとともに、湯水混合ハンドル１０により湯水混合弁１１を給湯路１３から流入する湯のみを混合水路１４に排出するように調節する。
そうすると、給湯源３、給湯路１３を経て温調弁５０の湯入口６７Ｂから流入した高温の湯は湯出口６７Ｄを経て温調室６７Ｇに流入する。このとき分水路５１を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから給湯路１３の下流へ排出される。そして、給湯路１３から湯水混合弁１１、混合水路１４、切替弁４１、浄水路３１、浄水器３０、浄水路３２、吐水路２１、吐水ヘッド２０を経て浄水器３０の耐熱温度より少し低い温度の浄水が使用者へ吐水される。
【００９７】
第五実施形態において、高温の原水を使おうと、切替ハンドル４０により切替弁４１を混合水路１４から流入する混合水を吐水路２１に排出するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した高温の湯は湯出口６７Ｄを経て温調室６７Ｇに流入する。このとき分水路５１を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから混合水路１４の下流へ排出される。そして、混合水路１４から切替弁４１、吐水路２１、吐水ヘッド２０を経て浄水器３０の耐熱温度より少し低い温度の原水が使用者へ吐水される。
【００９８】
つぎに、高温の浄水を使おうと、切替ハンドル４０により切替弁４１を混合水路１４から流入する混合水を浄水路３１に排出するように切替えるとともに、湯水混合ハンドル１０により湯水混合弁１１を給湯路１３から流入する湯のみを混合水路１４に排出するように調節する。
そうすると、給湯源３、給湯路１３、湯水混合弁１１、混合水路１４を経て温調弁５０の湯入口６７Ｂから流入した高温の湯は湯出口６７Ｄを経て温調室６７Ｇに流入する。このとき分水路５１を経て水入口６７Ａから流入した水は、水出口６７Ｅが弁体７２により開放されて温調室６７Ｇへ流入するため、高温の湯と水が温調室６７Ｇで混合される。そして、温調室６７Ｇで混合された温調水の温度が浄水器３０の耐熱温度より少し低い温度（例えば５５℃）になるように弁体７２の位置を自動調整して水出口６７Ｅから流入する水量を調整し、温調された温調水が温調水出口６７Ｃから混合水路１４の下流へ排出される。そして、混合水路１４から切替弁４１、浄水路３１、浄水器３０、浄水路３２、吐水路２１、吐水ヘッド２０を経て浄水器３０の耐熱温度より少し低い温度の浄水が使用者へ吐水される。
【００９９】
すなわち、熱源の設定温度を高温にしている場合、第一〜第三実施形態の場合は、原水は高温で使用できるとともに浄水は浄水器３０の耐熱温度より少し低い温度で使用でき、第四、第五実施形態の場合は、原水／浄水ともに浄水器３０の耐熱温度より少し低い温度で使用できる。
【０１００】
なお、温調弁５０Ａ、５０Ｂのピストンガイド６８の位置を調整できるようにしておけば、温調水の上限温度の変更が可能となる。
【０１０１】
温調弁５０Ａの場合について説明する。例えば、図１０、図１１は図８、図９の温調弁５０Ａの温調室６７Ｇ内に複数の調整溝８５を追加で設け、止め輪６６Ｂの位置を変更することによりピストンガイド６８の位置を調整できるようにしてある。ピストンガイドバネ８２はピストンガイド６８を止め輪６６Ｂに押しつけて安定させるためのものである。他の構成は図８、図９と同様であり同じ構成には同一の符号を付している。
【０１０２】
これによれば、高温の湯が湯入口６７Ｂから流入してきた際、温調水出口６７Ｃから排出される温調水の上限温度を低めにしたいときは、図１０のように止め輪６６Ｂの位置を温調弁本体６０の最も内側よりの調整溝８５に嵌めてピストン７５があまり飛び出さなくてもピストンガイド６８で規制し、湯入口６７Ｂから流入する湯の温度が低めでも水出口６７Ｅから水を流入させるようにする。また、温調水出口６７Ｃから排出される温調水の上限温度を高めにしたいときは、図１１のように止め輪６６Ｂの位置を温調弁本体６０の最も外側よりの調整溝８５に嵌めてピストン７５が長めに飛び出さないとピストンガイド６８で規制しないようにし、湯入口６７Ｂから流入する湯の温度が高めでないと水出口６７Ｅから水を流入させないようにする。このように、温調水出口６７Ｃから排出される温調水の上限温度を調節することができる。
また、別の例として、例えば、図１２、図１３は図８、図９の温調弁５０Ａの止め輪６６Ｂの代わりに温調弁本体６０外に配置された温調ハンドル８０と一体的に設けられた調整軸８１を設け、その調整軸８１は混合室６７Ｇ内に螺合により接続され、調整軸押え８３で温調弁本体６０外に抜け出ないようにしている。温調弁本体６０は４つの端部を持つ複数の円筒を組合わせた形状を成し、調整軸押え８３は温調弁本体６０の一端に水入口６７Ａを形成する円筒部の他端に接続されている。そして、温調ハンドル８０の回動操作により調整軸８１の位置を変更することによりピストンガイド６８の位置を調整できるようにしてある。ピストンガイドバネ８２はピストンガイド６８を調整軸８１に押しつけて安定させるためのものである。また、湯入口６７Ｂと混合水出口６７Ｃは温調弁本体６０の一端に水入口６７Ａを形成する円筒部の側壁から突出させたそれぞれ別の円筒部の端部に形成され、湯入口６７Ｂは湯出口６７Ｄを介して温調弁６７Ｇと連通し、混合水出口６７Ｃは混合水出口６７Ｈを介して温調室６７Ｇと連通している。他の構成は図８、図９と同様であり同じ構成には同一の符号を付している。
【０１０３】
これによれば、高温の湯が湯入口６７Ｂから流入してきた際、温調水出口６７Ｃから排出される温調水の上限温度を低めにしたいときは、図１２のように温調ハンドル８０を操作して調整軸８１の位置を温調弁本体６０の内側よりにしてピストン７５があまり飛び出さなくてもピストンガイド６８で規制し、湯入口６７Ｂから流入する湯の温度が低めでも水出口６７Ｅから水を流入させるようにする。また、温調水出口６７Ｃから排出される温調水の上限温度を高めにしたいときは、図１３のように温調ハンドル８０を操作して調整軸８１の位置を温調弁本体６０の外側よりにしてピストン７５が長めに飛び出さないとピストンガイド６８で規制しないようにし、湯入口６７Ｂから流入する湯の温度が高めでないと水出口６７Ｅから水を流入させないようにする。
【０１０４】
温調弁５０Ｂの場合について説明する。例えば、図１６、図１７は図１４、図１５の温調弁５０Ｂの温調室６７Ｇ内に複数の調整溝８５を追加で設け、止め輪６６Ｂの位置を変更することによりピストンガイド６８の位置を調整できるようにしてある。ピストンガイドバネ８２はピストンガイド６８を止め輪６６Ｂに押しつけて安定させるためのものである。他の構成は図１４、図１５と同様であり同じ構成には同一の符号を付している。
これによれば、高温の湯が湯入口６７Ｂから流入してきた際、温調水出口６７Ｃから排出される温調水の上限温度を低めにしたいときは、図１６のように止め輪６６Ｂの位置を温調弁本体６０の最も内側よりの調整溝８５に嵌めてピストン７５があまり飛び出さなくてもピストンガイド６８で規制し、湯入口６７Ｂから流入する湯の温度が低めでも水出口６７Ｅから水を流入させるようにする。また、温調水出口６７Ｃから排出される温調水の上限温度を高めにしたいときは、図１７のように止め輪６６Ｂの位置を温調弁本体６０の最も外側よりの調整溝８５に嵌めてピストン７５が長めに飛び出さないとピストンガイド６８で規制しないようにし、湯入口６７Ｂから流入する湯の温度が高めでないと水出口６７Ｅから水を流入させないようにする。このように、温調水出口６７Ｃから排出される温調水の上限温度を調節することができる。
【０１０５】
また、別の例として、例えば、図１８、図１９は図１４、図１５の温調弁５０Ｂの止め輪６６Ｂの代わりに温調弁本体６０外に配置された温調ハンドル８０と一体的に設けられた調整軸８１を設け、その調整軸８１は混合室６７Ｇ内に螺合により接続され、調整軸押え８３で温調弁本体６０外に抜け出ないようにしている。温調弁本体６０は４つの端部を持つ複数の円筒を組合わせた形状を成し、調整軸押え８３は温調弁本体６０の一端に水入口６７Ａを形成する円筒部の他端に接続されている。そして、温調ハンドル８０の回動操作により調整軸８１の位置を変更することによりピストンガイド６８の位置を調整できるようにしてある。ピストンガイドバネ８２はピストンガイド６８を調整軸８１に押しつけて安定させるためのものである。また、湯入口６７Ｂと混合水出口６７Ｃは温調弁本体６０の一端に水入口６７Ａを形成する円筒部の側壁から突出させたそれぞれ別の円筒部の端部に形成され、湯入口６７Ｂは湯出口６７Ｄを介して温調弁６７Ｇと連通し、混合水出口６７Ｃは混合水出口６７Ｈを介して温調室６７Ｇと連通している。他の構成は図１４、図１５と同様であり同じ構成には同一の符号を付している。
これによれば、高温の湯が湯入口６７Ｂから流入してきた際、温調水出口６７Ｃから排出される温調水の上限温度を低めにしたいときは、図１８のように温調ハンドル８０を操作して調整軸８１の位置を温調弁本体６０の内側よりにして形状記憶バネ７８のバネ定数があまり大きくならなくても形状記憶バネ押え部を押して、湯入口６７Ｂから流入する湯の温度が低めでも水出口６７Ｅから水を流入させるようにする。また、温調水出口６７Ｃから排出される温調水の上限温度を高めにしたいときは、図１９のように温調ハンドル８０を操作して調整軸８１の位置を温調弁本体６０の外側よりにして形状記憶バネ７８のバネ定数が大きくならないと形状記憶バネ押え部を押さないようにし、湯入口６７Ｂから流入する湯の温度が高めでないと水出口６７Ｅから水を流入させないようにする。
このように、温調水出口６７Ｃから排出される温調水の上限温度を調節することができ、さらにこの調整作業を温調ハンドル８０により使用者が容易に行うことができる。
【０１０６】
なお、以上の説明において示した数値や配置位置や形状などは一例であって、限定されるものではない。
【０１０７】
また、湯水混合弁１１や切替弁４１は、上記構成に限ったものではなく、また、機械的に駆動されるもののみならず、電気的に駆動される電磁弁などを用いてもよく、その場合、湯水混合ハンドル１０や切替ハンドル４０はスイッチなどの操作手段を用いてもよい。
【０１０８】
また、温調弁５０は、上記した浄水器付湯水混合栓に使用するのみならず、やけど防止の観点から高温給湯の抑制のための電気温水器への組み込みなどさまざまな応用が考えられる。
【０１０９】
また、浄水器付湯水混合栓１は、上記構成の温調弁５０を組み合わせることに限定するものではなく、水量のみならず湯量も調整できるものや湯量のみを調整できるものなどを組み合わせてもよい。
【０１１０】
また、切替弁４１は弁体４６が円筒形状のシリンダー式のものを紹介したが、スプール式やボール式などさまざまな方式が考えられる。
また、上記した各実施形態では、カウンター上に本体を配置した台付きタイプの場合を示したが、本体を給水脚、給湯脚を介して壁に配置した壁付きタイプにも応用が可能である。
また、流し台のみならず、洗面台や浴室に設置される場合にも適用することが可能である。 
【０１１１】
また、温調弁５０は浄水器付湯水混合栓の本体に内蔵したり、壁付タイプの水栓の給水脚、給湯脚と一体化してもよい。
【０１１２】
また、吐水ヘッド２０を吐水管５に着脱自在に保持し、吐水路２１の下流側は可撓性のあるホースで構成し、そのホースは本体４下方に吐水ヘッド２０を吐水管５から引き出すのに十分な長さを有して配置すれば、洗い物時やシンクの清掃時に使い勝手がよくなる。
【０１１３】
また、浄水路３１、３２の途中や合流継手５０の浄水路３２との接続部に定流量弁を設けておけば、吐水量過多による浄水能力の低下や寿命の短縮を防止できる。
【０１１４】
また、浄水路３２の途中に逆止弁を設けておけば、吐水路２１からの浄水器３０への原水の逆流を防止できる。
また、第一、第四実施形態において、分水路５１、５５の途中や分岐継手５２の分水路５１の分岐部や温調弁５０の水入口６７Ａに逆止弁を設けておけば、給湯路１３側から給水路１２側への湯の逆流を防止できる。
また、第二、第五実施形態において、分水路５１、５５の途中や分岐継手５２の分水路５１の分岐部や温調弁５０の水入口６７Ａに逆止弁を設けておけば、混合水路１４側から給水路１２側への混合水の逆流を防止できる。
また、第三実施形態において、分水路５１、５５の途中や分岐継手５２の分水路５１の分岐部や温調弁５０の水入口６７Ａに逆止弁を設けておけば、浄水路３１側から給水路１２側への混合水の逆流を防止できる。
【産業上の利用可能性】
【０１１５】
本発明は、原水と浄水両方を使用できる浄水器付湯水混合栓、例えば、台所用浄水器付湯水混合栓、洗面化粧台浄水器付湯水混合栓等に利用可能性がある。
【図面の簡単な説明】
【０１１６】
【図１】本発明の第一実施形態を示す浄水器付湯水混合栓のブロック図。
【図２】本発明の第二実施形態を示す浄水器付湯水混合栓のブロック図。
【図３】本発明の第三実施形態を示す浄水器付湯水混合栓のブロック図。
【図４】本発明の第四実施形態を示す浄水器付湯水混合栓のブロック図。
【図５】本発明の第五実施形態を示す浄水器付湯水混合栓のブロック図。
【図６】本発明の第一〜第三実施形態における切替弁４１の内観図。
【図７】本発明の第四、第五実施形態における切替弁４１の内観図。
【図８】本発明の温調弁５０Ａの浄水器の耐熱温度未満の湯流入時の内観図。
【図９】本発明の温調弁５０Ａの浄水器の耐熱温度以上の湯流入時の内観図。
【図１０】本発明の温調弁５０Ａの別の例の最低温設定時を示す内観図である。
【図１１】本発明の温調弁５０Ａの別の例の最高温設定時を示す内観図である。
【図１２】本発明の温調弁５０Ａの別の例の最低温設定時を示す内観図である。
【図１３】本発明の温調弁５０Ａの別の例の最高温設定時を示す内観図である。
【図１４】本発明の温調弁５０Ｂの浄水器の耐熱温度未満の湯流入時の内観図である。
【図１５】本発明の温調弁５０Ｂの浄水器の耐熱温度以上の湯流入時の内観図である。
【図１６】本発明の温調弁５０Ｂの別の例の最低温設定時を示す内観図である。
【図１７】本発明の温調弁５０Ｂの別の例の最高温設定時を示す内観図である。
【図１８】本発明の温調弁５０Ｂの別の例の最低温設定時を示す内観図である。
【図１９】本発明の温調弁５０Ｂの別の例の最高温設定時を示す内観図である。
【符号の説明】
【０１１７】
１…浄水器付湯水混合栓
２…給水源
３…給湯源
４…本体
５…吐水管
１０…湯水混合ハンドル、
１１…湯水混合弁、
１２…給水路
１３…給湯路
１４…混合水路
２０…吐水ヘッド
２１…吐水路
３０…浄水器
３１、３２…浄水路
４０…切替ハンドル
４１…切替弁
４２…ネジ
４３…ナット
４４…弁棒
４５Ａ、４５Ｂ、４５Ｃ、４５Ｄ…弁パッキン
４６…弁体
４７Ａ、４７Ｂ、４７Ｃ、４７Ｄ、４７Ｅ…開口
４８…弁ケース
５０…温調弁
５１、５５…分水路
５２…分岐継手
６０…温調弁本体
６１…バイアスバネ
６５…弁座
６６Ａ、６６Ｂ…止め輪
６７Ａ…水入口
６７Ｂ…湯入口
６７Ｃ、６７Ｈ…温調水出口
６７Ｄ…湯出口
６７Ｅ…水出口
６７Ｆ…水室
６７Ｇ…温調室
６８…ピストンガイド
６９Ａ、６９Ｂ…バネガイド
７０…弁
７１…ガイド軸
７２…弁体
７３…感熱部
７４…キャップ
７５…ピストン
７６…バネ押え部
７７…形状記憶バネ
７８…形状記憶バネガイド
７９…形状記憶バネ押え
８０…温調ハンドル
８１…調整軸
８２…ピストンガイドバネ
８３…調整軸押え
８５…調整溝
【図１】
2005061007.tif 000003
【図２】
2005061007.tif 000004
【図３】
2005061007.tif 000005
【図４】
2005061007.tif 000006
【図５】
2005061007.tif 000007
【図６】
2005061007.tif 000008
【図７】
2005061007.tif 000009
【図８】
2005061007.tif 000010
【図９】
2005061007.tif 000011
【図１０】
2005061007.tif 000012
【図１１】
2005061007.tif 000013
【図１２】
2005061007.tif 000014
【図１３】
2005061007.tif 000015
【図１４】
2005061007.tif 000016
【図１５】
2005061007.tif 000017
【図１６】
2005061007.tif 000018
【図１７】
2005061007.tif 000019
【図１８】
2005061007.tif 000020
【図１９】
2005061007.tif 000021